(57)【要約】【課題】            本発明は、内蔵された発熱体を高い効率で冷却するとともにエレベーターの少スペース化ができるエレベーター制御ユニットに関するものである。【解決手段】        本発明に係るエレベーター制御ユニットは、昇降路の中に設置され、その内部に発熱体が内蔵されるとともに正面に外部と連通する排出口が設けられた本体と、前記本体の側面に取付けられ、前記本体と連通する連通口及び外部と連通する吸入口が設けられて前記吸入口から吸入された外部の空気が前記連通口を介して本体の内部へ流れるように案内するダクトと、前記ダクトに設置され、外部の空気をダクトへ吸入するファンとを備えることを特徴とする。【選択図】          図２
2010285268.tif 000002
【特許請求の範囲】
【請求項１】
昇降路の中に設置され、その内部に発熱体が内蔵されるとともに正面に外部と連通する排出口が設けられた本体と、
前記本体の側面に取付けられ、前記本体と連通する連通口及び外部と連通する吸入口が設けられて前記吸入口から吸入された外部の空気が前記連通口を介して本体の内部へ流れるように案内するダクトと、
前記ダクトに設置され、外部の空気をダクトへ吸入するファンとを
備えることを特徴とするエレベーター制御ユニット。
【請求項２】
前記ダクトは、上下方向に連続して取付けられる複数のダクトであることを特徴とする請求項１記載のエレベーター制御ユニット。
【請求項３】
前記吸入口は、前記ダクトの下端部に設けられることを特徴とする請求項１又は２記載のエレベーター制御ユニット。
【請求項４】
前記吸入口は、前記ダクトの下面、正面及び側面のいずれかに設けられることを特徴とする請求項１乃至３のいずれか記載のエレベーター制御ユニット。
【発明の詳細な説明】
【技術分野】
【０００１】
本発明は、エレベーター制御ユニットに関するものである。特に、本発明は、内蔵された電子機器等の発熱体を高い効率で冷却するとともに少スペース化ができるエレベーター制御ユニットに関するものである。
【背景技術】
【０００２】
近年、エレベーターの少スペース化のニーズが高まり、そのニーズを満足させるために機械室(巻上機と制御盤等がその内部に設置される)を昇降路に設けることではなく、巻上機と制御盤等を直接昇降路内に設置する、いわゆる機械室レスエレベータが多くなってきている。しかし、機械室レスエレベータの場合でも少スペース化を達成するためには、昇降路内に設置される巻上機と制御盤等の昇降路内機器(以下、「昇降路内機器」と称する)を薄型で小型化する必要がある。また、エレベーターの少スペース化のためには、昇降路レイアウトにおいて昇降路内機器らの設置間隔を小さくしたり、昇降路内壁と昇降路内機器との隙間を出来るだけ小さくしたりする必要がある。
【０００３】
一方、最近制御盤は、その内部に収容される電子機器及び電気部品などが小型化となることに伴って小型化が可能になった。しかし、制御盤が小型化すればするほど、その内部に収容される電子機器及び電気部品などの発熱体(以下、「発熱体」と称する)の冷却が問題になる。
【０００４】
従来エレベーターにおいて、内部に収容された発熱体を冷却する冷却装置を有している制御盤は、特開昭６２-２６５７９８(特許文献１)と特開２００１-３４１９４９(特許文献２)に開示されている。特許文献１の制御盤は、ヒートパイプと冷却フィンが発熱体の上部に連結され、制御盤の正面にファンが設置されている。このファンによって制御盤の背面から正面へ冷却空気が流れる。この冷却空気はヒートパイプと冷却フィンを冷却することにより、冷却フィンに連結されている発熱体を間接的に冷却する。また、特許文献２の制御盤は、ヒートパイプが発熱体に取付けられ、外部の冷却空気が制御盤の下面から上面へ流れる。この冷却空気によりヒートパイプが冷却され、その結果、ヒートパイプに取付けられている発熱体が冷却される。
【先行技術文献】
【特許文献】
【０００５】
【特許文献１】特開昭６２-２６５７９８
【特許文献２】特開２００１-３４１９４９
【発明の概要】
【発明が解決しようとする課題】
【０００６】
しかしながら、このような特許文献１の制御盤は、冷却空気の吸入口が制御盤の背面に設けられているから、昇降路に設置する際に制御盤の背面に十分なスペースを確保する必要があり、昇降路レイアウト設計に余計な条件を与えてしまう。したがって特許文献１の制御盤は、エレベーターの少スペース化に適用するには問題がある。また、特許文献２の制御盤は、冷却空気の吸入口が制御盤の下面に設けられている。しかし、通常制御盤の下面には、制御盤内に収容されている電子機器及び電気部品を電気的に連結する外部配線の繋ぎ込みが配置されているので、外部配線の繋ぎ込みにより下面からの冷却空気の吸入が妨害される問題がある。
また、特許文献１と２の制御盤は、冷却空気がヒートパイプを介して間接的に発熱体を冷却するので、直接的に発熱体を冷却することに比べて冷却効率が低下する問題がある。
【０００７】
上記の課題を解決するために、本発明は、内蔵された発熱体を高い効率で冷却するとともにエレベーターの少スペース化ができるエレベーター制御ユニットを提供することを目的とする。
【課題を解決するための手段】
【０００８】
上記の目的を達成するために、本発明は、昇降路の中に設置され、その内部に発熱体が内蔵されるとともに正面に外部と連通する排出口が設けられた本体と、前記本体の側面に取付けられ、前記本体と連通する連通口及び外部と連通する吸入口が設けられて前記吸入口から吸入された外部の空気が前記連通口を介して本体の内部へ流れるように案内するダクトと、前記ダクトに設置され、外部の空気をダクトへ吸入するファンとを備えることを特徴とするエレベーター制御ユニットである。
【０００９】
また、本発明の前記ダクトは、上下方向に連続して取付けられる複数のダクトであることを特徴とする。
【００１０】
また、本発明の前記吸入口は、前記ダクトの下端部に設けられることを特徴とする。
【００１１】
また、本発明の前記吸入口は、前記ダクトの下面、正面及び側面のいずれかに設けられることを特徴とする。
【発明の効果】
【００１２】
本発明のエレベーター制御ユニットは、本体の側面に取付けられたダクトを介して冷却空気を吸入するので、エレベーターの少スペース化ができる。
【００１３】
また、本発明のエレベーター制御ユニットは、本体の側面に取付けられたダクトを介して冷却空気を吸入するから、本体の下面に設けられる配線と干渉されない。この結果、発熱体の冷却に十分な冷却空気を吸入することができて、高い冷却効率を持つことができる。
【図面の簡単な説明】
【００１４】
【図１】本発明のエレベーター制御ユニットが設置されているエレベーターの昇降路を表わす図である。
【図２】本発明の実施の形態１に係るエレベーター制御ユニットを正面から見た図である。
【図３】図２のA-A断面図である
【図４】図２のB-B断面図である。
【図５】本発明の実施の形態２に係るエレベーター制御ユニットを正面から見た図である。
【図６】図５のC-C断面図である。
【図７】図５のD-D断面図である。
【発明を実施するための形態】
【００１５】
以下、本発明の実施の形態について、添付した図面を参考にして詳細に説明する。
【００１６】
実施の形態１．
図１は本発明のエレベーター制御ユニットが設置されているエレベーターの昇降路を表わす図、図２は本発明の実施の形態１に掛かるエレベーター制御ユニットを正面から見た図、図３は図２のA-A断面図、そして図４は図２のB-B断面図である。図１を参考にすると、本発明の実施の形態１に係るエレベーター制御ユニット４は、エレベーターの昇降路１０に設置されている。具体的には、エレベーターの少スペース化を図るためにエレベーター制御ユニット４が昇降路１０の内側面に密着している。エレベーター制御ユニット４の内部には電子機器及び電気部品などの発熱体(図示しない)が内蔵されている。以下、本発明のエレベーター制御ユニットと後述するダクトに関する説明において、エレベーター制御ユニット４の「正面」は、図１の昇降路の中から見える面を示すこととし、「背面」は、「正面」の反対面を示すこととする。
【００１７】
図２を参考にすると、エレベーター制御ユニット４は、発熱体がその内部に内蔵されている本体４０と、本体４０の上部と下部に取付けられているブラケット４１を備える。本体４０は上下方向に長い直方体であり、本体４０の正面には外部と連通する排出口４２が設けられている。また、本体４０の下面には内部の発熱体と外部の電源を電気的に連結する配線が通過する配線口(図示しない)が設けられている。
【００１８】
排出口４２は、本体４０の発熱体と熱交換された高温の空気を外部へ排出するために設けられている。また、図２のように、排出口４２は上下方向に散布されており、これにより、上下方向に長い本体４０を全体的に等しい程度に冷却することができる。具体的には、複数の排出口４２が一つの単位となり、この単位が、上下方向にお互いに所定の間隔を置いた位置毎に複数を設けられている。
【００１９】
ブラケット４１は、ボルトなどの締結手段により昇降路１０の内側面に固定される。これによって、本体４０が昇降路１０の内側面に固定される。また、本体４０の下部には内部の発熱体と外部の電源を電気的に連結する配線が通過するから、下部のブラケット４１は配線と干渉されないような形状であるのが好ましい。
【００２０】
本体４０の両側面にはダクト５０が取付けられている。ダクト５０は、上下方向に本体４０とほぼ同じ長さを有する直方体であり、少なくとも一つの側面はダクト５０の側面と接する。ダクト５０の下端部には外部から空気(冷却空気)を吸入するために、外部と連通する吸入口５２が設けられる。また、ダクト５０の下端部にはファン６０が取付けられている。ファン６０は、外部から空気(冷却空気)をダクト５０の中へ吸入させる。また、ファン６０の後部には、フィルター(図示しない)が設けられる。フィルターは、昇降路１０の中に存在する塵埃などの汚れがダクト５０の中へ入ることを防ぐ。
【００２１】
図３と図４を参考にすると、本体４０と接するダクト５０の側面には本体４０の内部とダクト５０とを連通する連通口５１が設けられている。また、連通口５１は上下方向にお互いに所定の間隔を置いた位置毎に複数形成されている。連通口５１は、吸入口５２を介して吸入した冷却空気を本体４０の内部へ案内する。また、ダクト５０において、吸入口５２が設けられている下面及び連通口５１が設けられているとともに本体４０と接する側面以外の面(正面、上面、背面、及び本体と接していない側面)は密閉構造を形成している。
【００２２】
このような構成により、外部の冷たい空気(冷却空気)が吸入口５２を介してダクト５０へ入ってから、連通口５１を介して本体４０の内部へ入り込まれる。そして、本体４０へ入り込まれた冷却空気は、本体４０の内部の発熱体を直接的に冷却し、本体４０の正面に設けられている排出口４２を介して外部へ出る(図２乃至図４の矢印参照)。即ち、実施の形態１では、ダクト５０の吸入口５２と連通口５１、及び本体４０の排出口４２とは、発熱体を冷却する冷却空気の流れ経路を形成する。
【００２３】
このように、本発明の実施の形態１に係るエレベーター制御ユニット４は、ダクト５０を介して吸入された冷却空気により本体４０の内部の発熱体を直接的に冷却するから、ヒートパイプを介して間接的に発熱体を冷却することと比べて冷却効率が高い。また、本発明の実施の形態１に係るエレベーター制御ユニット４は、本体４０の側面に取付けられたダクト５０を介して冷却空気を吸入する構成だから、本体４０の背面と昇降路１０との間に空間が必要ではない。この結果、エレベーターの少スペース化ができる。
【００２４】
また、本発明の実施の形態１に係るエレベーター制御ユニット４は、本体４０の側面に取付けられたダクト５０を介して冷却空気を吸入するから、本体４０の下面に設けられる配線と干渉されない。この結果、発熱体の冷却に十分な冷却空気を吸入することができて、高い冷却効率を持つことができる。
【００２５】
また、本発明の実施の形態１に係るエレベーター制御ユニット４は、上述した作用と効果を有する範囲の中で、多様に変更することもできる。たとえば、実施の形態１では、ファン６０と吸入口５２がダクト５０の下端部に設けられているが、ダクト５０の中間部、又は上端部に設けられても良い。但し、ファン６０と吸入口５２がダクト５０の下端部に設けると、冷却空気の流れがダクト５０の下部から上部に向かうことになるため、自然な経路を作ることができる。また、本体４０の排出口４２から出た高温の空気は上部に流れるから、ファン６０と吸入口５２がダクト５０の下端部に設けると、より低温の空気を冷却空気として吸入することができる。したがって、ファン６０と吸入口５２がダクト５０の下端部に設けると、より高い効率で発熱体を冷却することができる。
【００２６】
また、本発明の実施の形態１に係るエレベーター制御ユニット４は、吸入口５２がダクト５０の下端部の下面に設けられているが、ダクト５０の下端部の正面、又は本体４０と接していない側面に設けられても良い。この場合、本体４０の背面と昇降路１０との間に空間が必要ではなく、しかも本体４０の下面に設けられた配線とも干渉されない。但し、吸入口５２がダクト５０の下端部の下面に設けられていると、ダクト５０の中での冷却空気の流れ方向と同じ方向に冷却空気を吸入することができて、吸入効率を高めることができる。
【００２７】
このような吸入口５２の位置の変更は、ファン６０と吸入口５２がダクト５０の中間部、又は上端部に設けられている場合にも、同じように可能である。また、ファン６０と吸入口５２がダクト５０上端部に設けられる場合には、吸入口５２がダクト５０の上端部の上面に設けられることもできる。
【００２８】
また、本発明の実施の形態１に係るエレベーター制御ユニットのダクト５０は、本体４０の両側面に取付けられているが、本体４０の片側面だけに取付けられても良い。
【００２９】
実施の形態２．
図５は本発明の実施の形態２に係るエレベーター制御ユニットを正面から見た図、図６は図５のC-C断面図、そして図７は図５のD-D断面図である。なお、実施の形態１と同様の作用を有する構成に対しては、同様の符号を使し、具体的な説明は省略する。本発明の実施の形態２は、実施の形態１と比べると、ダクト５０の構成以外には殆ど同様の構成を有する。具体的に、実施の形態１のダクト５０は上下方向に一つ取付けられているが、実施の形態２は、図５乃至図７のように上下方向に連続的に複数のダクトが取付けられている。図５乃至図７では、二つのダクト、即ち、第１のダクト５０aと第２のダクト５０bを複数のダクトの例として説明するが、これに限られるものではない。
【００３０】
図５乃至図７を参考にすると、第１のダクト５０aと第２のダクト５０bは、それぞれ下端部に吸入口５２a、５２bが設けられ、また吸入口５２a、５２bにはファン６０a、６０bが取付けられる。また、第１のダクト５０aと第２のダクト５０bは、それぞれ本体４０の内部と連通する連通口５１a、５１bを備えている。したがって、本体４０の上部は第１のダクト５０aを介して吸入された冷却空気によって冷却され、本体４０の下部は第２のダクト５０bを介して吸入された冷却空気によって冷却される。
【００３１】
第１、第２のダクト５０a、５０bは上下方向に長い一つのダクトの中間に仕切り板５３を用いて上下に分離して製作されている。即ち、第１、第２のダクト５０a、５０bは上下方向に連続して本体４０の側面に取付けられる。上部の第１のダクト５０aは下端部の正面に吸入口５２aが設けられ、下部の第２のダクト５０bは下端部の下面に吸入口５２bが設けられている。また、第１のダクト５０aの吸入口５２aは、ダクト５０aの側面に設けることができ、第２のダクト５０bの吸入口５２bは、ダクト５０bの正面、又は側面に設けることができる。
【００３２】
また、第１、第２のダクト５０a、５０bを一つのダクトの中間に仕切り板５３によって分離するのではなく最初から別々のダクトで製作して、製作された第１、第２のダクト５０a、５０bを上下方向に所定の間隔を置いて連続的に取付けられても良い。即ち、第１、第２のダクト５０a、５０bは上下方向に分割して本体４０の側面に取付けられこともできる。この場合、本体４０の上部に取付けられる第１のダクト５０aの吸入口５２aを下端部の下面にも設けられることができる。
【００３３】
以上のように、複数のダクトを用いて、本体４０の内部を冷却する実施の形態２は、エレベーター制御ユニット４が上下方向に長いものに適用されると効果が高い。上下方向に長いエレベーター制御ユニット４は、実施の形態１のように下端部に一つの吸入口しかないと、上部に行けばいく程、冷却空気の量が少なくなって上部での冷却性能が下がり、上部の発熱体を十分に冷却することができない場合がある。しかし、実施の形態２によると、本体４０の上部まで十分に冷却することができる。
【産業上の利用可能性】
【００３４】
本発明のエレベーター制御ユニットは、エレベーターの少スペース化が要求されるエレベーターに適用されることが出来る。
【符号の説明】
【００３５】
４  エレベーター制御ユニット、
１０  昇降路、
４０  本体、
４１  ブラケット、
４２  排出口、
５０  ダクト、
５０a  第１のダクト、
５０b  第２のダクト、
５１、５１a、５１b  連通口、
５２、５２a、５２b  吸入口、
５３  仕切り板
６０、６０a、６０b  ファン。
【図１】
2010285268.tif 000003
【図２】
2010285268.tif 000004
【図３】
2010285268.tif 000005
【図４】
2010285268.tif 000006
【図５】
2010285268.tif 000007
【図６】
2010285268.tif 000008
【図７】
2010285268.tif 000009